(57)【要約】      （修正有）【課題】搭乗手続きのカウンタでの重量計測で旅行カバンが制限重量を超える不都合を事前に回避できる旅行カバンを提供する。【解決手段】本旅行カバン１は、旅行カバン１の取っ手３または取手取付け部６または取っ手ロック部『またはローラ４の付け根部』に設けられ、取っ手３により旅行カバン１が持ち上げられたとき、『又は旅行カバンがローラ４を下にして立てられたとき、』旅行カバン１の重量を計測する重量測定装置と、重量測定装置によって計測された重量を表示する表示部７とを有して構成される。【選択図】図１
0003160339.tif 000002
【実用新案登録請求の範囲】
【請求項１】
旅行カバンの取っ手または取手取付け部に設けられ、前記取っ手により前記旅行カバンが持ち上げられたとき、該旅行カバンの重量を計測する重量測定装置と、
該重量測定装置によって計測された重量を表示する表示部と、
を有することを特徴とする旅行カバン。
【請求項２】
数段階に伸縮する取っ手の取手ロック部に設けられ、前記取っ手により前記旅行カバンが持ち上げられたとき、該旅行カバンの重量を計測する重量測定装置と、
該重量測定装置によって計測された重量を表示する表示部と、
を有することを特徴とする旅行カバン。
【請求項３】
ローラを有する旅行カバンであって、
前記ローラの付け根部に設けられ、前記旅行カバンが前記ローラを下にして立てられたとき、該旅行カバンの重量を計測する重量測定装置と、
該重量測定装置によって計測された重量を表示する表示部と、
を有することを特徴とする旅行カバン。
【請求項４】
前記表示部は、前記取っ手又は前記カバンの側面に内蔵された、又は無線通信可能で前記旅行カバンに対し着脱自在に設けられた表示装置である、ことを特徴とする請求項１、２又は３記載の旅行カバン。
【請求項５】
前記重量測定装置は、少なくとも圧電素子と、該圧電素子に圧力を伝達する圧力伝達手段と、前記圧電素子の出力電圧を重量値に換算する換算手段と、この換算手段により換算された前記重量値を前記表示装置に出力する重量値出力手段と、を有することを特徴とする請求項１、２、３又は４記載の旅行カバン。
【考案の詳細な説明】
【技術分野】
【０００１】
本考案は、全体の重量を直ちに知ることが出来る秤りを内蔵した旅行カバンに関する。
【背景技術】
【０００２】
従来の旅行カバンの便利な構造としては、作り付けのローラを備え、手で容易に押したり引いたり出来、取手から手を放したときなどにローラが固定されて少々の振動や外力では動き出さない構造のものが提案されている（例えば、特許文献１参照）。
【０００３】
また、カバン本体に伸縮性を持たせたて、収納する荷物が少ないときはカバン本体を縮め、収納する荷物が多いときはカバン本体を伸ばして使用するものなども実用化されている。このように、従来の旅行カバンは、カバンそのものの取り扱いの便利さを考慮したものが多い。
【先行技術文献】
【特許文献】
【０００４】
【特許文献１】特開平１１−５６４３８公報
【考案の概要】
【考案が解決しようとする課題】
【０００５】
ところで、海外旅行など、飛行機に乗る場合、手荷物とは別に、搭乗手続きのカウンタで飛行機に預ける大型の旅行カバンなどには、個数や重量に制限が設けられている。
しかし、旅先ではもちろんのこと、旅行に出かける前の一般の家庭においても、大型の旅行カバンを中身ごと重量を計る秤りなどはない。
【０００６】
したがって、旅行カバンには概ねの見当で荷物を詰め込み、搭乗手続きのカウンタで重量を計測してもらう以外に飛行機に預け入れる自分の荷物の重量を知る方法がない。
このため搭乗手続きとる段になってはじめて制限重量を超えていることが分かり、追加料金を徴収されたり、場合によっては搭乗を拒否されるというような不具合が生じるという課題があった。
【課題を解決するための手段】
【０００７】
本考案は、以上のような課題を解決するために考案されたものであり、本考案の旅行カバンは、旅行カバンの取っ手または取手取付け部または取っ手ロック部またはローラの付け根部に設けられ、取っ手により旅行カバンが持ち上げられたとき、又は旅行カバンがローラを下にして立てられたとき、旅行カバンの重量を計測する重量測定装置と、この重量測定装置によって計測された重量を表示する表示部と、を有して構成される。
【考案の効果】
【０００８】
本考案によれば、旅行カバンの取っ手を持ち上げただけで、荷物を収納した状態の旅行カバンの重量を旅行カバンに取り付けられている表示装置で読み取ることが出来る。
これにより、旅行カバンの重量を確認しながら制限重量以内となるように適正な荷物を旅行カバンに詰め込むことが容易にでき、したがって、搭乗手続きのカウンタでの計測で旅行カバンの重量が制限を超えて追加料金を徴収される又は搭乗を拒否されるという不都合なことが無く、安心して旅行を楽しむことが出来るようになる。
【図面の簡単な説明】
【０００９】
【図１】本考案の実施例１に係る旅行カバンの外観構成を示す図である。
【図２】(a) は本考案の実施例２に係る旅行カバンの外観構成を示す正面図、(b) はその側面図である。
【考案を実施するための形態】
【実施例１】
【００１０】
以下、図面を参照しながら、本考案の実施形態について詳細に説明する。
図１は、本考案の実施例１に係る旅行カバンの外観構成を示す図である。図１に示すように、実施例１に係る旅行カバン１は、直方体の角ごとに丸味を持たせた形状のカバン本体２を有する。
【００１１】
カバン本体２には、このカバン本体２を横長な状態で手に持って運ぶための第１の取っ手３と、カバン本体２を縦長な状態に立てて押して運ぶための４個のローラ４と、これら４個のローラ４を活用しながらカバン本体２を押したり引いたりして運ぶための伸縮自在な第２の取っ手５が設けられている。
【００１２】
第１の取っ手３は両端部をループ状に形成されている。また、カバン本体２には上下に回動自在な左右２個の環状の取手取付け部６が設けられている。
第１の取っ手３はループ状の端部により、２個の取手取付け部６に差し渡されて取手取付け部６に緩やかに取り付けられている。また、第１の取っ手３には、図１上方の一部拡大上面図に示すように、液晶表示装置から成る表示部７を備えている。
【００１３】
人が第１の取っ手３を手に取って旅行カバン１を持ち上げると、第１の取っ手３の端部が取手取付け部６を、矢印ａ及びｂで示すように、中央部方向に引く状態となる。これにより、第１の取っ手３の端部と係合している取手取付け部６の環状の内側が第１の取っ手３の端部のループ状の内側により押圧される。
【００１４】
また、この反作用として、第１の取っ手３の端部のループ状の内側は、取手取付け部６の環状の内側により押圧される。この第１の取っ手３の一方の端部のループ状の内側の、取手取付け部６により押圧される部分に、特には図示しないが、圧電素子が設けられている。
【００１５】
そして、圧電素子と取手取付け部６の環状の内側との間には、圧電素子を破壊しない程度に取手取付け部６からの押圧力を圧電素子に伝達する圧力伝達部材が配置されている。なお、この圧力伝達部材は、第１の取っ手３側に設けてもよく、又は取手取付け部６側に設けるようにしてもよい。
【００１６】
また、第１の取っ手３には、表示部７と、圧電素子の他に、特には図示しないが、電力供給装置と、例えば電子チップ化されて、圧電素子と表示部７と電力供給装置とに配線で接続された演算装置が設けられている。
【００１７】
演算装置は、圧電素子の出力電圧を重量値に換算する換算部と、この換算部で算出された重量値を表示装置７に出力する重量値出力部とを備えている。表示部７は、例として図１に示すように、１０Ｋｇから１０Ｋｇ置きに５０Ｋｇまでの目盛りが予め表示されている。また、その目盛り沿ってスライド式指針８が表示されている。
【００１８】
スライド式指針８は、左右に移動して、重量値出力部から供給される重量値に一致する目盛りを指し示すようになっている。
尚、図１には、旅行カバン１の形態をローラ４のついた状態で示しているが、これに限ることなく、ローラ４の無い、単なる手提げ式の旅行カバンにも、実施例１の考案を適用することができる。
【実施例２】
【００１９】
図２(a) は本考案の実施例２に係る旅行カバンの外観構成を示す正面図、(b) はその側面図である。本例の旅行カバン１０においては、同図(a) の上の一部拡大上面図、又は同図(a) の右の一部拡大正面図に示すように、表示部３が第２の取っ手５とカバン本体２の正面とに配置されている。 
【００２０】
なお、本例の表示部３は、同図(a) のように第２の取っ手５とカバン本体２の正面の両方に配置してもよく、又はいずれか一方のみに配置するようにしてもよい。
第２の取っ手５は、シャフト９がカバン本体２に対して、例えば３段階に伸縮する。３段階それぞれの位置にはロック装置がある。ロック装置のロックと解除は第２の取っ手５の不図示のボタンで操作可能である。
【００２１】
シャフト９が最も縮んだ状態のロック位置には、シャフト９とカバン本体２とのロック係合部に、実施例１で説明したと同様の構成の圧電素子、電力供給装置、電子チップ化された演算装置等が設けられている。
【００２２】
これにより、シャフト９が最も縮んだ状態で、人が第２の取っ手５を手にとって旅行カバン１０を持ち上げると、ロック位置の圧電素子及び演算装置により旅行カバン１０の重量が検知され、その重量が表示部３に表示される。
【００２３】
尚、シャフト９が最も縮んだ状態のロック位置だけでなく、シャフト９が伸縮する各段のロック位置にそれぞれ圧電素子を設け、これらの圧電素子を、任意の位置に設けられた電力供給装置と演算装置に接続するようにしてもよい。
【実施例３】
【００２４】
上記の実施例２では、図２の構成において、重量値出力部の圧電素子をシャフト９のロック位置に設けるようにしたが、この実施例３では、図２の構成において、重量値出力部の圧電素子をローラ４の付け根部に設ける。
【００２５】
そして、これらの圧電素子を、任意の位置に設けられた電力供給装置と演算装置に接続する。この場合は、ローラ４を下にして旅行カバン１０を立てたとき、圧電素子及び演算装置により旅行カバン１０の重量が検知され、その重量が表示部３に表示される。
【００２６】
尚、上記の実施例１、２又は３において、旅行カバンの重量を検出する重量測定装置には、圧電素子に限ることなく、例えばバネを用いて、そのバネの変位度や付勢力の変化等から旅行カバンの重量を検出するようにしてもよい。
【００２７】
また、表示部は、液晶表示と限ることなく、変化する旅行カバンの重量を表示できる装置であれば、何を用いてもよい。また、表示部の配置は、旅行カバンに固定して取り付けると限るものではない。
【００２８】
例えば、演算装置と連動するブルートゥース発振装置を旅行カバンに配設し、ブルートゥース受信装置を備え旅行カバンに着脱可能な表示装置を備えるようにしてもよい。また、電力供給装置は不要の場合には、例えば一定時間、重量測定装置が作動しないときなどに、自動的に電源が切れるにようにすることが望ましい。
【００２９】
このように本発明の各実施例によれば、旅行カバンの重量を確認しながら荷物を旅行カバンに詰め込むことができるので、搭乗手続きの際に旅行カバンが制限重量を超えてしまうことがないように自宅でも旅先でも容易に荷造りができる。
【００３０】
したがって、旅行カバンの制限重量オーバーで追加料金を徴収されたり搭乗を拒否されるというような不都合を回避でき、安心して旅行を楽しむことが出来るようになる。
【産業上の利用可能性】
【００３１】
本考案は、搭乗手続きのカウンタでの重量計測で旅行カバンが制限重量を超える不都合を事前に回避できる旅行カバンに利用することができる。
【符号の説明】
【００３２】
１  旅行カバン
２  カバン本体
３  第１の取っ手
４  ローラ
５  第２の取っ手
６  取手取付け部
７  表示部
８  スライド式指針
９  シャフト
【図１】
0003160339.tif 000003
【図２】
0003160339.tif 000004
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
旅行カバンの取っ手または取手取付け部に設けられ、前記取っ手により前記旅行カバンが持ち上げられたとき、該旅行カバンの重量を計測する重量測定装置と、
該重量測定装置によって計測された重量を表示する表示部と、
を有することを特徴とする旅行カバン。
【請求項２】
旅行カバンの数段階に伸縮する取っ手の取手ロック部に設けられ、前記取っ手により前記旅行カバンが持ち上げられたとき、該旅行カバンの重量を計測する重量測定装置と、
該重量測定装置によって計測された重量を表示する表示部と、
を有することを特徴とする旅行カバン。
【請求項３】
取っ手とローラを有する旅行カバンであって、
前記ローラの付け根部に設けられ、前記旅行カバンが前記ローラを下にして立てられたとき、該旅行カバンの重量を計測する重量測定装置と、
該重量測定装置によって計測された重量を表示する表示部と、
を有することを特徴とする旅行カバン。
【請求項４】
前記表示部は、前記取っ手又は前記旅行カバンの側面に内蔵された、又は無線通信可能で前記旅行カバンに対し着脱自在に設けられた表示装置である、ことを特徴とする請求項１、２又は３記載の旅行カバン。
【請求項５】
前記重量測定装置は、少なくとも圧電素子と、該圧電素子に圧力を伝達する圧力伝達手段と、前記圧電素子の出力電圧を重量値に換算する換算手段と、この換算手段により換算された前記重量値を前記表示部に出力する重量値出力手段と、を有することを特徴とする請求項１、２、３又は４記載の旅行カバン。